【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
モータ及び第１の空気検出センサを有する医療用ポンプを使用して流体送達ライン内で空気を検出する方法であって、
加圧段階と、送達段階と、引き込み段階とを含む、流体送達サイクルを開始するステップと、
第１の所定のサイクルパラメータ値が満たされた後、第１の加圧段階及び第１の送達段階の一方の間に、第１の空気検出センサを作動させるステップと、
第１の空気検出センサによって生成された第１の空気量信号を測定するステップと、
第１の空気量信号から第１の空気量データを生成するステップと、
第１の空気量データが第１の所定の空気閾値を満たしているかを判断するステップと、
第１の空気量信号を測定した後、および第２の所定のサイクルパラメータ値が満たされた後、第１の加圧段階及び第１の送達段階の一方の間に、第１の空気検出センサを作動停止させるステップと、
第３の所定のサイクルパラメータ値が満たされた後、第１の加圧段階及び第１の送達段階の一方の間に、第１の空気検出センサを再作動させるステップと、
第１の空気検出センサによって生成された第２の空気量信号を測定するステップと、
第２の空気量信号から第２の空気量データを生成するステップと、
第２の空気量データが第１の所定の空気閾値を満たしているかを判断するステップと、
第２の空気量信号を測定した後、および第４の所定のサイクルパラメータ値が満たされた後、第１の加圧段階及び第１の送達段階の一方の間に、第１の空気検出センサを作動停止させるステップとを含む、方法。
【請求項２】
第１の所定の閾値が満たされていることが、流体送達ライン内に空気が存在するとの結論を表している、請求項１に記載の方法。
【請求項３】
第１の空気検出センサによって生成された第１および第２の空気量信号をそれぞれ測定し、第１および第２の空気量信号から第１および第２の空気量データをそれぞれ生成するステップが、
第１および第２の空気量信号の各々に対して複数のサンプルを受け入れるステップと、
サンプルの各々をアナログ信号からデジタル値に変換するステップと、
第１および第２の空気信号の各々に対するサンプルの各々をそれぞれ平均化するステップとを含む、請求項１に記載の方法。
【請求項４】
第１の所定の閾値が満たされるときに空気インラインカウンタを増分するステップと、
第１の所定の閾値が満たされないときに空気インラインカウンタをゼロに設定するステップと、
複数の記憶される空気インラインカウンタ値を作り出すために、第１の空気量信号を測定するステップが行われるたびに直近にある、空気インラインカウンタの現在値を表している空気インラインカウンタ値を記憶するステップと、
複数の記憶された空気インラインカウンタ値の各々が、第１の所定の空気インラインカウンタ閾値を満たしているかを判断するステップと、
第１の所定の空気インラインカウンタ閾値を満たしていない複数の記憶された空気インラインカウンタ値の各々をゼロに設定するステップと、
連続する非ゼロの記憶された空気インラインカウンタ値の各群に対して最も高い記憶された空気インラインカウンタ値を判断するステップと、
最も高い記憶された空気インラインカウンタ値を以前に判断された累積空気インラインカウンタ値に加えることによって各々が確立される、現在の累積空気インラインカウンタ値を確立するステップと、
現在の累積空気インラインカウンタ値が累積空気インラインカウンタ値の閾値を満たしているかを判断するステップと、
累積空気インラインカウンタ値のいずれか１つが、累積空気インラインカウンタ値を満たしている場合に累積空気インライン警告を発するステップとをさらに含む、請求項１に記載の方法。
【請求項５】
第１の所定のサイクルパラメータ値が満たされた後、第２の空気検出センサを作動させるステップと、
第２の空気検出センサによって生成された第１の空気量信号を測定するステップと、
第２の空気検出センサによって生成された第１の空気量信号から第１の空気量データを生成するステップと、
第１の空気検出センサによって生成された第１の空気量信号が、第１の空気検出時間を確立するためにいつ測定されるかを判断するステップと、
第２の空気検出センサによって生成された第１の空気量信号が、第２の空気検出時間を確立するためにいつ測定されるかを判断するステップと、
第２の検出時間と第１の検出時間の間の相違が、所定の遅延時間を満たしているかを判断するステップとをさらに含む、第１の空気検出センサおよび第２の空気検出センサを有する医療用ポンプを使用して流体送達ライン内で空気を検出する、請求項１に記載の方法。
【請求項６】
所定の遅延時間が、流体送達ラインのサイズ、送達流量、および第１の空気検出センサと第２の空気検出センサの間の距離に依存する、請求項５に記載の方法。
【請求項７】
第２の検出時間と第１の検出時間の間の相違が所定の遅延時間を満たしていない場合、空気インラインカウンタをゼロに設定するステップをさらに含む、請求項５に記載の方法。
【請求項８】
第２の検出時間と第１の検出時間の間の相違が、所定の遅延時間を満たしている場合、第２の空気検出センサによって生成された第１の空気量データと、第１の空気検出センサによって生成された第１の空気量データの間の相違が、所定の複式センサ許容値を満たしているかを判断するステップをさらに含む、請求項５に記載の方法。
【請求項９】
所定の複式センサ許容値が満たされていない場合に空気インラインカウンタをゼロに設定するステップをさらに含む、請求項８に記載の方法。
【請求項１０】
所定の複式センサ許容値が満たされるときに空気インラインカウンタを増分するステップをさらに含む、請求項８に記載の方法。
【請求項１１】
１／３の行程量だけ空気インラインカウンタを増分するステップをさらに含む、請求項１０に記載の方法。
【請求項１２】
空気インラインカウンタが警告閾値を満たしているかを判断するステップと、
警告閾値が満たされているときに空気インライン警告を発するステップとをさらに含む、請求項１１に記載の方法。
【請求項１３】
第２の空気検出センサによって生成された第１の量信号を測定した後、および第２の所定のサイクルパラメータが満たされた後、第２の空気検出センサを作動停止させるステップと、
第３の所定のサイクルパラメータ値が満たされた後、第２の空気検出センサを再作動させるステップと、
第２の空気検出センサによって生成された第２の空気量信号を測定するステップと、
第２の空気検出センサによって生成された第２の空気量信号から第２の空気量データを生成するステップとをさらに含む、請求項５に記載の方法。
【請求項１４】
第２の空気検出センサによって生成された第２の空気量信号を測定した後、および第４の所定のサイクルパラメータ値が満たされた後、第２の空気検出センサを作動停止させるステップをさらに含む、請求項１３に記載の方法。
【請求項１５】
圧送チャンバに接続された流体送達ラインを介する物質の送達のための医療用ポンプであって、
圧送チャンバ上に力を及ぼすためのポンプドライブと、
ポンプドライブの位置を感知するためにポンプドライブに動作可能に接続されたポンプドライブ位置センサと、
流体送達ライン内に空気が存在するかを感知するための第１の空気検出センサと、
ポンプドライブ、ポンプドライブ位置センサ、および第１の空気検出センサと電子通信するプロセッサと、
プロセッサと電子通信し、プロセッサによる実行のためのプログラミングコードを含むメモリとを備え、プログラミングコードが、
加圧段階と、送達段階と、引き込み段階とを含む流体送達サイクルを開始し、
第１の所定のサイクルパラメータ値が満たされた後、第１の加圧段階及び第１の送達段階の一方の間に、第１の空気検出センサを作動させ、
第１の空気検出センサによって測定された第１の空気量信号から第１の空気量データを生成し、
第１の空気量データが第１の所定の空気閾値を満たしているかを判断し、
第１の空気量信号が測定された後、および第２の所定のサイクルパラメータ値が満たされた後、第１の加圧段階及び第１の送達段階の一方の間に、第１の空気検出センサを作動停止させ、
第３の所定のサイクルパラメータ値が満たされた後、第１の加圧段階及び第１の送達段階の一方の間に、第１の空気検出センサを再始動させ、
第１の空気検出センサによって測定された第２の空気量信号から第２の空気量データを生成し、
第２の空気量データが第１の所定の空気閾値を満たしているかを判断し、
第２の空気量信号が測定された後、および第４の所定のサイクルパラメータ値が満たされた後、第１の加圧段階及び第１の送達段階の一方の間に、第１の空気検出センサを作動停止させるようになされた、医療用ポンプ。
【請求項１６】
プログラミングコードが、さらに、
第１の所定の閾値が満たされるときに空気インラインカウンタを増分するようになされる、請求項１５に記載の医療用ポンプ。
【請求項１７】
プログラミングコードが、さらに、
第１の所定の閾値が満たされるときに１／３の行程量だけ空気インラインカウンタを増分するようになされる、請求項１６に記載の医療用ポンプ。
【請求項１８】
プログラミングコードが、さらに、
空気インラインカウンタが警告閾値を満たしているかを判断し、
警告閾値が満たされたときに空気インライン警告を発するようになされる、請求項１６に記載の医療用ポンプ。
【請求項１９】
プログラミングコードが、さらに、
第１の所定の閾値が満たされない場合に空気インラインカウンタをゼロに設定するようになされる、請求項１５に記載の医療用ポンプ。
【請求項２０】
プログラミングコードが、
第１および第２の空気量信号の各々に対して複数のサンプルを受け入れ、
サンプルの各々をアナログ信号からデジタル値に変換し、
第１および第２の空気信号の各々に対するサンプルの各々をそれぞれ平均化するようになされる、請求項１５に記載の医療用ポンプ。
【請求項２１】
送達サイクルが、サイクル行程速度を含み、プログラミングコードが、サイクル行程速度とは無関係である所定の数のサンプルを受け入れるようになされる、請求項２０に記載の医療用ポンプ。
【請求項２２】
第１の空気検出センサが、第１のトランスミッタと、第１のレシーバとを備え、プログラミングコードが、第１のトランスミッタを作動させ、第１のトランスミッタを作動停止させるようになされる、請求項１５に記載の医療用ポンプ。
【請求項２３】
プログラミングコードが、
第１の所定の閾値が満たされるときに空気インラインカウンタを増分し、
第１の所定の閾値が満たされないときに空気インラインカウンタをゼロに設定し、
複数の記憶される空気インラインカウンタ値を作り出すために、第１の空気量信号を測定するステップが行われるたびに直近にある、空気インラインカウンタの現在値を表している空気インラインカウンタ値をメモリ内に記憶し、
複数の記憶された空気インラインカウンタ値の各々が第１の所定の空気インラインカウンタ閾値を満たしているかを判断し、
第１の所定の空気インラインカウンタ閾値を満たしていない複数の記憶された空気インラインカウンタ値の各々をゼロに設定し、
連続する非ゼロの記憶された空気インラインカウンタ値の各群に対して最も高い記憶された空気インラインカウンタ値を判断し、
最も高い記憶された空気インラインカウンタ値を以前に判断された累積空気インラインカウンタ値に加えることによって各々が確立される、現在の累積空気インラインカウンタ値を、連続する非ゼロの記憶された空気インラインカウンタ値の各群に対して確立し、
現在の累積空気インラインカウンタ値が累積空気インラインカウンタ値の閾値を満たしているかを判断し、
累積空気インラインカウンタ値のいずれか１つが累積空気インラインカウンタ値を満たしている場合に累積空気インライン警告を発するようになされる、請求項１５に記載の医療用ポンプ。
【請求項２４】
プログラミングコードが、
累積空気インラインカウンタ値のいずれか１つが、所定の累積時間間隔にわたって、累積空気インラインカウンタ値の閾値を満たしているかを判断するようになされる、請求項２３に記載の医療用ポンプ。
【請求項２５】
所定の累積時間間隔が、流体送達サイクルの開始時に開始する、請求項２４に記載の医療用ポンプ。
【請求項２６】
所定の累積時間間隔が、移行する間隔である、請求項２４に記載の医療用ポンプ。
【請求項２７】
第２の空気検出センサをさらに含み、
プログラミングコードが、さらに、
第１の所定のサイクルパラメータ値が満たされた後、第２の空気検出センサを作動させ、
第２の空気検出センサによって生成された第１の空気量信号を測定し、
第２の空気検出センサによって生成された第１の空気量信号から第１の空気量データを生成し、
第１の空気検出センサによって生成された第１の空気量信号が、第１の空気検出時間を確立するためにいつ測定されるかを判断し、
第２の空気検出センサによって生成された第１の空気量信号が、第２の空気検出時間を確立するためにいつ測定されるかを判断し、
第２の検出時間と第１の検出の間の相違が所定の遅延時間を満たしているかを判断するようになされた、請求項１５に記載の医療用ポンプ。
【請求項２８】
所定の遅延時間が、流体送達ラインのサイズ、送達流量、および第１の空気検出センサと第２の空気検出センサの間の距離に依存する、請求項２７に記載の医療用ポンプ。
【請求項２９】
プログラミングコードが、さらに、
第２の検出時間と第１の検出時間の間の相違が所定の遅延時間を満たしていない場合に空気インラインカウンタをゼロに設定するようになされる、請求項２７に記載の医療用ポンプ。
【請求項３０】
プログラミングコードが、さらに、
第２の検出時間と第１の検出時間の間の相違が所定の遅延時間を満たしている場合、第２の空気センサによって生成された第１の空気量データと、第１の空気センサによって生成された第１の空気量データとの間の相違が、所定の複式センサ許容値を満たしているかを判断するようになされる、請求項２７に記載の医療用ポンプ。
【請求項３１】
プログラミングコードが、さらに、
所定の複式センサ許容値が満たされないときに空気インラインカウンタを増分するようになされる、請求項３０に記載の医療用ポンプ。
【請求項３２】
プログラミングコードが、さらに、
１／３の行程量だけ空気インラインカウンタを増分するようになされる、請求項３１に記載の医療用ポンプ。
【請求項３３】
プログラミングコードが、さらに、
空気インラインカウンタが警告閾値を満たしているかを判断し、
警告閾値が満たされているときに空気インライン警告を発するようになされる、請求項３２に記載の医療用ポンプ。
【請求項３４】
プログラミングコードが、さらに、
第２の空気検出センサによって生成された第１の空気量信号を測定した後、および第２の所定のサイクルパラメータ値が満たされた後、第２の空気検出センサを作動停止させ、
第３の所定のサイクルパラメータ値が満たされた後、第２の空気検出センサを再作動させ、
第２の空気検出センサによって生成された第２の空気量信号を測定し、
第２の空気検出センサによって生成された第２の空気量信号から第２の空気量データを生成するようになされる、請求項２７に記載の医療用ポンプ。
【請求項３５】
プログラミングコードが、さらに、
第２の空気検出センサによって生成された第２の空気量信号を測定した後、および第４の所定のサイクルパラメータ値が満たされた後、第２の空気検出センサを作動停止させるようになされる、請求項３４に記載の医療用ポンプ。